(57)【要約】【課題】  余分な部品を追加することなく、外形に一定の工夫を講じるだけで重心位置が下がって打球の打上げ角度が増大し、飛距離が延びるようになるウッド型ゴルフクラブヘッドを提供する。【解決手段】  フェース部１と、クラウン部２と、ソール部３と、トウ部４と、ヒール部５とを有する。センターラインＸによって区画されたトウ部４の少なくとも上半部Ａを、フェース面１１の広さを減少させない範囲で欠除することによって、ウッド型ゴルフクラブヘッドの重心位置をヘッド底面３１に近付く側に下げる。ヘッド前面を形成している傾斜面４２を下方部位ほど前方に張り出した形状にする。【選択図】        図２
0003132179.tif 000002
【実用新案登録請求の範囲】
【請求項１】
ボールを打撃するフェース面を形成するフェース部と、このフェース部の上縁に連なってヘッド上面を形成するクラウン部と、上記フェース部の下縁に連なってヘッド底面を形成するソール部と、上記クラウン部と上記ソール部とに連なってヘッド前面を形成するトウ部と、上記クラウン部と上記ソール部とに連なってヘッド後面を形成するヒール部とを有して、上記ヒール部にシャフトが装着されるホーゼル部が備わっているウッド型クラブヘッドであって、
上記フェース面の中央部に位置するフエースセンターを通って前後方向に延びるセンターラインによって区画された上記トウ部の少なくとも上半部を欠除することによって、当該ヘッドの重心位置を上記ヘッド底面に近付く側に下げてあることを特徴とするウッド型ゴルフクラブヘッド。
【請求項２】
ボールを打撃するフェース面を形成するフェース部と、このフェース部の上縁に連なってヘッド上面を形成するクラウン部と、上記フェース部の下縁に連なってヘッド底面を形成するソール部と、上記クラウン部と上記ソール部とに連なってヘッド前面を形成するトウ部と、上記クラウン部と上記ソール部とに連なってヘッド後面を形成するヒール部とを有して、上記トウ部が、上記クラウン部と上記ソール部とに亘る前張出し形状のヘッド前面を形成し、上記ヒール部にシャフトが装着されるホーゼル部が備わっているウッド型クラブヘッドであって、
上記フェース面の中央部に位置するフエースセンターを通って前後方向に延びるセンターラインによって区画された上記トウ部の少なくとも上半部を、上記フェース面の広さを減少させない範囲で欠除することによって、当該ヘッドの重心位置を上記ヘッド底面に近付く側に下げてあることを特徴とするウッド型ゴルフクラブヘッド。
【請求項３】
トウ部の上記上半部を欠除することによって形成されるヘッド前面を下方部位ほど前方に張り出した傾斜面に形成してある請求項１又は請求項２に記載したウッド型ゴルフクラブヘッド。
【請求項４】
上記傾斜面が、上記センターラインによって区画された上記トウ部の上半部の全体とその上半部に連続する下半部の上部部位とに跨がって位置している請求項３に記載したウッド型ゴルフクラブヘッド。
【考案の詳細な説明】
【技術分野】
【０００１】
本考案は、ウッド型ゴルフクラブヘッドに関する。さらに詳しくは、重心位置を下げることによって打球の打上げ角度を増大させるという対策を講じたウッド型ゴルフクラブヘッドに関する。
【背景技術】
【０００２】
図４はウッド型ゴルフクラブヘッド（以下「ヘッド」ということがある）の従来例を示した正面図（前面図）、図５は同従来例の側面図（フェース面側から見た側面図）である。図４及び図５のように、従来のヘッドは、ボールを打撃するフェース面１１を形成するフェース部１と、このフェース部１の上縁に連なってヘッド上面２１を形成するクラウン部２と、フェース部１の下縁に連なってヘッド底面３１を形成するソール３部と、クラウン部２とソール部３とに連なってヘッド前面４１を形成するトウ部４と、クラウン部２とソール部３とに連なってヘッド後面５１を形成するヒール部５とを有している。そして、一般的には、トウ部４が、図４のようにクラウン部２とソール部３とに亘る前張出し形状のヘッド前面４１を形成している。なお、ヒール部５にシャフト７が装着されるホーゼル部６が備わっている。
【０００３】
このような一般的形状を有するヘッドにおいて、打球の打上げ角度を増大させてその飛距離を伸ばすためには、ヘッドの重心位置を低位置に定めること、すなわちヘッド底面３１に近付けることが有効であることが判っている。
【０００４】
一方、上記したようなヘッドにあっては、打球の打上げ角度を増大させて飛距離を伸ばすための研究は種々行われている（たとえば、特許文献１、特許文献２参照）。そして、特許文献１によると、垂直線に対するヘッドのフェース面の傾き角度としてのロフト角を１５度以上にすることと併せて、フェース面に施されるフェースライン溝の深さや溝幅を適切に定めることによって、打球の打上げ角度を大きくでき、飛距離を増大させることができるとされている。また、特許文献２によると、ヘッド重量及びヘッド体積、ロフト角が一定範囲に定まっているヘッドにおいて、ヘッドの重心深さ及びヘッドの重心高さ、ヘッド体積をなどを一定の範囲内に規定しておくと、打球の打上げ角度が増大するとされている。そして、特許文献２によると、ヘッドの重心高さを低くするための対策として、ヘッドの外形に大きな影響を及ぼさない手段、具体的には、比重の大きなチタニウム合金、ステンレス、銅合金、鉄などの材料で作られた部材をヘッド本体部の前下部（トー部の下部）に取り付けるという手段を採用している。
【０００５】
【特許文献１】特開２００６−６１２０６号公報
【特許文献２】特開平８−２４３７６号公報
【考案の開示】
【考案が解決しようとする課題】
【０００６】
しかしながら、ヘッドの重心位置（重心高さ）を下げて打球の打上げ角度を増大させるための対策として、特許文献２のように比重の大きな部材をヘッド本体に取り付けるという手段を採用すると、その部材が余分に必要になって部品点数が増えるため、部品コストが高くつき、しかも、組立工程数も増加するために全体として価格が高くつくと問題がある。
【０００７】
そこで、本考案者は、ヘッドの重心位置を下げることを基本として、必要部品点数を増加させずに打球の打上げ角度を増大させることについて鋭意研究を行い、本考案を完成させるに至った。
【０００８】
すなわち、本考案は、余分な部品を追加することなく、外形に一定の工夫を講じるだけで重心位置が下がって打球の打上げ角度が増大し、飛距離が延びるようになるウッド型ゴルフクラブヘッドを提供することを目的とする。
【課題を解決するための手段】
【０００９】
本考案に係るウッド型ゴルフクラブヘッドは、ボールを打撃するフェース面を形成するフェース部と、このフェース部の上縁に連なってヘッド上面を形成するクラウン部と、上記フェース部の下縁に連なってヘッド底面を形成するソール部と、上記クラウン部と上記ソール部とに連なってヘッド前面を形成するトウ部と、上記クラウン部と上記ソール部とに連なってヘッド後面を形成するヒール部とを有して、上記ヒール部にシャフトが装着されるホーゼル部が備わっている。そして、上記フェース面の中央部に位置するフエースセンターを通って前後方向に延びるセンターラインによって区画された上記トウ部の少なくとも上半部を欠除することによって、当該ヘッドの重心位置を上記ヘッド底面に近付く側に下げてある。
【００１０】
この考案によれば、ヘッドの重心位置を下げるための手段として、トウ部の少なくとも上半部を欠除するという手段を採用したので、余分に部品を追加するなく重心位置を下げて打球の打上げ角度を増大させ、飛距離を伸ばすことが可能になる。しかも、トウ部の上半部を欠除させているので、ヘッドの上半部でその体積が減少して使用者がアドレスするときに見えるヘッドの見掛け上の大きさが小さくなって使用者にヘッドを大きく見せなくて済むようになる。そのため、使用者が打球しやすくなるという作用も奏される。
【００１１】
本考案では、上記トウ部が、上記クラウン部と上記ソール部とに亘る前張出し形状のヘッド前面を形成しているウッド型クラブヘッドにおいて、上記フェース面の広さを減少させない範囲で上記トウ部の少なくとも上半部を欠除することによって、当該ヘッドの重心位置を上記ヘッド底面に近付く側に下げてある、という構成を採用することが可能であり、これによれば、使用者にヘッドを大きく見せなくて済むようになるにもかかわらず、フェース面が広く確保される。そのために、トウ部の上半部を欠除してあるとしても、そのことによって打球のしやすさが損なわれることはない。
【００１２】
本考案では、トウ部の上記上半部を欠除することによって形成されるヘッド前面を下方部位ほど前方に張り出した傾斜面に形成してあることが望ましい。これによれば、ゴルフクラブを手に持ってボールに対してアドレスするときに、使用者は、トウ部を欠除することによって形成されているヘッド前面を基準としてその目線ラインの位置を定めることができるため、使用者自身がアドレス時の姿勢を適正に決めることに役立つようになる。
【００１３】
本考案では、上記傾斜面が、上記センターラインによって区画された上記トウ部の上半部の全体とその上半部に連続する下半部の上部部位とに跨がって位置しているものであってもよい。
【考案の効果】
【００１４】
以上のように、本考案に係るウッド型ゴルフクラブヘッドによると、フェース面の中央部に位置するフエースセンターを通って前後方向に延びるセンターラインによって区画されたトウ部の少なくとも上半部を欠除することによって、当該ヘッドの重心位置を上記ヘッド底面に近付く側に下げてあるので、余分な部品を追加することなく、打球時の打上げ角度が増大して飛距離を伸ばせるようになるだけでなく、使用者にヘッドを大きく見せなくて済むようになるという打球の飛距離を伸ばすに当たってきわめて有益な効果が奏される。
【００１５】
また、クラウン部とソール部とに亘る前張出し形状のヘッド前面を形成しているトウ部の上半部を欠除させる場合に、フェース面の広さを減少させない範囲でトウ部の上半部を欠除するという構成を採用することが可能になるので、そのようにすることによって、使用者にヘッドを大きく見せなくて済むようになるにもかかわらず、フェース面が広く確保されて打球のしやすさを損なわずに済むという効果が奏される。
【００１６】
さらに、使用者が、トウ部を欠除することによって形成されているヘッド前面を基準としてその目線ラインの位置を定めて使用者自身のアドレス姿勢を適正に決めたりすることも可能になるという効果が奏される。
【考案を実施するための最良の形態】
【００１７】
図１は本考案の実施形態に係るヘッドの平面図、図２は図１のＩＩ矢視図、図３は図１のＩＩＩ矢視図である。
【００１８】
このヘッドにおいても、図４及び図５を参照して説明した従来例と同様に、ボールを打撃するフェース面１１を形成するフェース部１と、このフェース部１の上縁に連なってヘッド上面２１を形成するクラウン部２と、フェース部１の下縁に連なってヘッド底面３１を形成するソール３部と、クラウン部２とソール部３とに連なってヘッド前面４１を形成するトウ部４と、クラウン部２とソール部３とに連なってヘッド後面５１を形成するヒール部５とを有していて、ヒール部５にはシャフト７が装着されるホーゼル部６が備わっている。
【００１９】
この実施形態のヘッドにあっては、図２によって判るように、フェース面１１の中央部に位置するフエースセンターＣを通って前後方向に延びるセンターラインＸによって区画されたトウ部４の上半部Ａとそれに続く下半部Ｂの一部とが、下方部位ほど前方に張り出した傾斜面４２に形成されている。図例では、この傾斜面４２がわずかに前側に膨らみ出る形状の湾曲面に形成されているけれども、この傾斜面４２は平坦に形成しておいてもよい。
【００２０】
ところで、図１〜図３に示した実施形態に係るヘッドは、図４又は図５を参照して説明した従来例のヘッドの外形、すなわちトウ部４が形成しているヘッド前面４１が前張出し形状に形成されている外形を基本外形として、そのトウ部４の上半部Ａと下半部Ｂの一部を欠除したものに相当し、しかも、そのようにトウ部４を欠除することによって形成されるヘッド前面４１（図２仮想線参照）を上記したような傾斜面４２として形成したものに相当している。したがって、その傾斜面４２は下方部位ほど前方に張り出す形態になっていて、センターラインＸによって区画されたトウ部４の上半部Ａの全体とその上半部Ａに連続する下半部Ｂの上部部位とに跨がって位置している。加えて、この実施形態では、図４又は図５に示した従来例に比べてフェース面１１の広さを減少させない範囲でトウ部４を欠除させてある。
【００２１】
上記のように、フェース面１１の中央部に位置するフエースセンターＣを通って前後方向に延びるセンターラインＸによって区画されたトウ部４の上半部Ａとそれに続く下半部Ｂの一部とを欠除させたヘッドにあっては、その基本外形を有する図４又は図５に示した従来例と比べると、トウ部４の体積がその欠除部分の体積に見合うだけ減少するので、センターラインＸの上半部Ａの体積と下半部Ｂの体積とを比較すると、下半部Ｂの体積が上半部Ａの体積に対して相対的に増大している。そのため、図１〜図３に示した実施形態に係るヘッドでは、図４又は図５に示した従来例に比べてヘッドの重心位置がヘッド底面３１に近付く側に下がっている。
【００２２】
以上の構成を備える実施形態のヘッドによると、従来例に比べて重心位置が下がっているために、それだけ打球の打上げ角度が増大する。また、ヘッドの上半部でその体積が減少しているために使用者にヘッドを大きく見せなくて済むようになる。その結果、使用者にとっては、アドレス時に見えるヘッドの見掛け上の大きさが小さくなって打球しやすくなる。
【００２３】
特に、この実施形態では、トウ部４の欠除箇所として、図４又は図５に示した従来例のフェース面１１の広さを減少させない範囲を選択してある。そのため、トウ部４を欠除したからといって、フェース面４１の面積が狭くなっていない。したがって、トウ部４を欠除してあるとしても、そのことによって打球のしやすさが損なわれることはない。
【００２４】
しかも、この実施形態では、トウ部４を欠除することによって形成されるヘッド前面４１、すなわち傾斜面４２を下方部位ほど前方に張り出した形状にしてあるので、ゴルフクラブを手に持ってボールに対してアドレスするときに、使用者は、その傾斜面４２を基準としてその目線ラインＥ（図２参照）の位置を定めることができるようになる。そのため、使用者自身がアドレス時の姿勢を適正に決めることに役立つようになる。たとえば、使用者にとって、傾斜面４２が広く見えるときには、目線ラインが前に出過ぎて姿勢が前かがみになっているということなどが判り、傾斜面４２がまったく見えないときには、目線ラインが後に後退し過ぎて姿勢が立上り過ぎているということなどが判る。
【００２５】
この実施形態では、傾斜面４２が、センターラインＸによって区画されたトウ部４の上半部Ａの全体とその上半部Ａに連続する下半部Ｂの上部部位とに跨がって位置しているけれども、この点は、上半部Ａだけに傾斜面４２が位置するようにしてもよい。
【図面の簡単な説明】
【００２６】
【図１】本考案の実施形態に係るウッド型ゴルフクラブヘッドの平面図である。
【図２】図１のＩＩ矢視図である。
【図３】図１のＩＩＩ矢視図である。
【図４】ウッド型ゴルフクラブヘッドの従来例を示した正面図である。
【図５】同従来例の側面図である。
【符号の説明】
【００２７】
１  フェース部
２  クラウン部
３  ソール部
４  トウ部
５  ヒール部
６  ホーゼル部
１１  フェース面
２１  ヘッド上面
３１  ヘッド底面
４１  ヘッド前面
５１  ヘッド後面
Ａ  トウ部の上半部
Ｂ  トウ部の下半部
Ｃ  フエースセンター
Ｘ  センターライン
【図１】
0003132179.tif 000003
【図２】
0003132179.tif 000004
【図３】
0003132179.tif 000005
【図４】
0003132179.tif 000006
【図５】
0003132179.tif 000007